(57)【要約】【課題】組み立て易く、保守性の高いレンズ鏡筒。【解決手段】少なくとも、第１光学部品と、第２光学部品と、第３光学部品とを順番に有する光学系と、光学系の光軸と平行に延在する第１ガイドバーと、第１ガイドバーが通される挿通部を有し、第１光学部品と第３光学部品とを保持しつつ第１ガイドバーに沿って移動可能な保持筒と、保持筒の内周側に配置され、第２光学部品を保持する保持枠と、を備え、保持筒の周面に、保持枠を内周側まで挿入し得る大きさの開口部を有する。【選択図】図４
2010191104.tif 000002
【特許請求の範囲】
【請求項１】
少なくとも、第１光学部品と、第２光学部品と、第３光学部品とを順番に有する光学系と、
前記光学系の光軸と平行に延在する第１ガイドバーと、
前記第１ガイドバーが通される挿通部を有し、前記第１光学部品と前記第３光学部品とを保持しつつ前記第１ガイドバーに沿って移動可能な保持筒と、
前記保持筒の内周側に配置され、前記第２光学部品を保持する保持枠と、
を備え、
前記保持筒の周面に、前記保持枠を内周側まで挿入し得る大きさの開口部を有するレンズ鏡筒。
【請求項２】
前記開口部は、前記第２光学部品の光軸と前記保持筒の中心軸とが略平行な状態のまま前記保持枠を挿入し得る大きさである請求項１に記載のレンズ鏡筒。
【請求項３】
前記第１ガイドバーと平行に配された第２ガイドバーを備え、
前記保持筒は、前記第２ガイドバーに係合して、前記保持筒の周面方向の移動を規制される係合部を備え、
前記挿通部と前記係合部とは、前記保持筒の中心軸方向からみた場合に、前記保持筒の周面に沿って略対向する位置に配置されており、
前記開口部は、前記保持筒の中心軸方向からみた場合に、前記係合部と重なる位置に形成されている請求項１または請求項２に記載のレンズ鏡筒。
【請求項４】
前記第１ガイドバーと平行に配された第２ガイドバーを備え、
前記第１ガイドバーと前記第２ガイドバーとの少なくとも一方は、前記保持筒の外周に沿って配置される請求項１から請求項３までのいずれかに記載のレンズ鏡筒。
【請求項５】
前記第１ガイドバーと平行に配された第２ガイドバーを備え、
前記保持枠は、前記第１ガイドバーに沿って移動可能に係合する第１係合部と、前記第２ガイドバーに沿って移動可能に係合する第２係合部とを備え、
前記第１係合部と前記第２係合部とは、前記保持枠と一体的に形成される請求項１から請求項４までのいずれかに記載のレンズ鏡筒。
【請求項６】
前記保持筒は、前記第１ガイドバーに沿って移動する場合に駆動力を受ける受け部材を備え、
前記受け部材と前記開口部とは、前記保持筒の中心方向からみた場合に、前記保持筒の周面に沿って略対向する位置に配置されている請求項１から請求項５までのいずれかに記載のレンズ鏡筒。
【請求項７】
請求項１から請求項６までのいずれかに記載のレンズ鏡筒と、
前記レンズ鏡筒により結像される像を撮像する撮像部と
を備える撮像装置。
【請求項８】
第１光学部品と第３光学部品との少なくとも一方を保持筒に保持させる工程と、
第２光学部品を保持枠に保持させる工程と、
前記保持筒の周面に形成された開口部を通して、前記保持筒に前記保持枠を挿入させる工程と、
前記保持筒の内周側で、前記第１光学部品と前記第２光学部品と前記第３光学部品とを前記保持筒の中心軸に沿って順番に配置させる工程と、
前記保持筒と前記保持枠とにガイドバーを挿し通す工程とを含むレンズ鏡筒の製造方法。
【請求項９】
前記第１光学部品と前記第３光学部品とを前記保持筒に保持させてから、前記保持枠を前記保持筒に挿入する請求項８に記載の製造方法。
【発明の詳細な説明】
【技術分野】
【０００１】
本発明は、レンズ鏡筒、撮像装置および製造方法に関する。
【背景技術】
【０００２】
下記の特許文献１には、カム機構により複数のレンズ群を個別に移動させて焦点距離を変化させるズームレンズ鏡筒の構造が記載される。
【特許文献１】特開２０００−０８９０８６号公報
【発明の開示】
【発明が解決しようとする課題】
【０００３】
上記構造は、多数の部材を組み合わせた複雑な構造を有し、部材相互の組み立て精度を維持することが難しかった。また、完成後の保守性も低かった。
【課題を解決するための手段】
【０００４】
上記課題を解決すべく、本発明の第１の態様として、少なくとも、第１光学部品（Ｌ３）と、第２光学部品（Ｌ４）と、第３光学部品（Ｌ５）とを順番に有する光学系（１０１）と、光学系の光軸と平行に延在する第１ガイドバー（１９２）と、第１ガイドバーが通される挿通部（９２）を有し、第１光学部品と第３光学部品とを保持しつつ第１ガイドバーに沿って移動可能な保持筒（９１）と、保持筒の内周側に配置され、第２光学部品を保持する保持枠（８０）と、を備え、保持筒の周面に、保持枠を内周側まで挿入し得る大きさの開口部（９９）を有するレンズ鏡筒（１００）が提供される。
【０００５】
また、本発明の第２の態様として、上記レンズ鏡筒と、レンズ鏡筒により結像される像を撮像する撮像部（２００）とを有する撮像装置（３００）が提供される。
【０００６】
更に、本発明の第３の態様として、上記レンズ鏡筒を製造する方法であって、第１光学部品と第３光学部品との少なくとも一方を保持筒に保持させる工程と、第２光学部品を保持枠に保持させる工程と、保持筒の周面に形成された開口部を通して、保持筒に保持枠を挿入させる工程と、保持筒の内周側で、第２光学部品と第２光軸部品と第３光学部品とを保持筒の中心軸に沿って順番に配置させる工程と、保持筒と保持枠とにガイドバーを挿し通す工程とを含むレンズ鏡筒の製造方法が提供される。
【０００７】
上記の発明の概要は、本発明の必要な特徴の全てを列挙したものではない。また、これらの特徴群のサブコンビネーションも発明となり得る。
【発明を実施するための最良の形態】
【０００８】
以下、発明の実施の形態を通じて本発明を説明する。しかしながら、以下の実施形態は特許請求の範囲に係る発明を限定するものではない。また、実施形態の中で説明されている特徴の組み合わせの全てが発明の解決手段に必須であるとは限らない。
【０００９】
図１および図２は、レンズ鏡筒１００の断面図であり、図３はレンズ鏡筒１００の部分分解斜視図である。レンズ鏡筒１００は、共通の光軸Ｘ上に順次配列された５群のレンズＬ１、Ｌ２、Ｌ３、Ｌ４、Ｌ５を備える。レンズＬ１、Ｌ２、Ｌ３、Ｌ４、Ｌ５は、それぞれレンズ枠１５９、１８９、７０、８０、９０に保持される。なお、レンズ鏡筒１００はズームレンズであり、図１はレンズ鏡筒１００の焦点距離が広角端にある状態を、図２はレンズ鏡筒１００の焦点距離が望遠端にある状態を示す。図３は、レンズ鏡筒１００の構成のうちレンズＬ３、Ｌ４、Ｌ５の組立体１０に係る構成を分解した状態を示す。
【００１０】
レンズ鏡筒１００は、イメージセンサ等を含む撮像部２００に対して固定される固定筒１１０を有する。固定筒１１０は、全体として円筒形をなしており、撮像部２００に結合するマウント１１２を後端の基部１１１に有する。レンズ鏡筒１００は、撮像部２００に結合された場合、固定筒１１０の後端面のマウント面１１３が撮像部２００の前面に密接して位置決めされる。
【００１１】
以下の説明では、特に言及しない限り、固定筒１１０を基準として光軸Ｘに平行な方向の移動を「直進」とし、光軸Ｘ周りの回転を「回転」とする。また、レンズ鏡筒１００において光軸Ｘと平行な方向を「前後」とし、撮像部２００側を「後側」（像面側）、他端側を「前方」（物体側）とする。
【００１２】
固定筒１１０の前端側外周には、互いに同軸な内筒１４１、中筒１４０、外筒１５０およびズームリング１３０が内側からこの順に配される。固定筒１１０の内周側には、カム筒１６０が固定筒１１０に対して回転自在かつ直進自在に配される。固定筒１１０の前端には、固定筒１１０に対して回転自在かつ直進自在な連動環１７０が、カム筒１６０の内周側から固定筒１１０の外周側にわたって配される。
【００１３】
ズームリング１３０は、変倍動作を行なう際に外部から操作されて回転するように装着される。ズームリング１３０は、光軸Ｘ方向に延在する直線状の案内溝１３２を内面に有する。
【００１４】
中筒１４０は、ズームリング１３０の案内溝１３２に係合するカムフォロワ１４２を、外周側に突出するように有する。中筒１４０の内周面は、内筒１４１を案内する係合溝１４８を、光軸Ｘ回りに配されるように有する。中筒１４０の周面は、外筒１５０を案内するカム溝１４４を、光軸Ｘに対して傾斜するように有する。また、中筒１４０の周面は、カム筒１６０との相対移動を案内する直溝１４６を有する。なお、中筒１４０は変倍時に回転されるものであり、直溝１４６は図２の断面図では表れない位置にある。
【００１５】
内筒１４１は、中筒１４０の係合溝１４８に係合する係合突起１４９を、外周側に突出するように有する。また、固定筒１１０は光軸Ｘ方向に配された直線状の長穴１１４を有しており、内筒１４１のカムフォロワ１４７は長穴１１４を貫通する。さらに、内筒１４１は、中筒１４０のカム溝１４４と協同して外筒１５０を案内する直溝１４３を有する。また、内筒１４１は、中筒１４０の直溝１４６と少なくとも一部が対向する逃げ穴１４５を有する。
【００１６】
外筒１５０は、中筒１４０のカム溝１４４と内筒１４１の直溝１４３とに係合するカムフォロワ１５２を、内周側に突出するように有する。また、外筒１５０の前端は、レンズＬ１を保持するレンズ枠１５９に結合される。
【００１７】
連動環１７０は、カム筒１６０との相対移動を案内するカムフォロワ１７２を、カム筒１６０の内周側に配されるように有する。また、連動環１７０は、連動環１７０の直進移動を案内する直溝１７６を、固定筒１１０の外周側に配されるように有する。また、連動環１７０は、レンズＬ２を保持するレンズ枠１８９を内周側に保持する。
【００１８】
カム筒１６０は、それぞれが光軸Ｘに対して傾斜するように配されたカム溝１６１、１６３、１６４、１６６を有する。カム溝１６１には、連動環１７０のカムフォロワ１７２が係合する。カム筒１６０には、同じ形状の３つのカム溝１６１が、光軸Ｘ周りに均等に配置されるように形成されている。なお、図１および図２ではカムフォロワ１７２は一つのみ表示することとしたが、カム溝１６１の数に対応させるのが好ましい。また、カム溝１６１の数は、２つまたは３つが好ましい。後述するが、カム溝１６３はレンズＬ４に直進駆動力を与えるものであり、カム溝１６４はレンズＬ３とレンズＬ５とに直進駆動力を与えるものである。カム溝１６６には、固定筒１１０の内周面に配されたカムピン１１６が係合し、カム筒１６０に固定筒１１０に対する直進駆動力を与えるものである。
【００１９】
また、カム筒１６０の前端には、径方向外側に突出するカムフォロワ１６２が連結部材１６５を介して固定されている。カムフォロワ１６２は、内筒１４１の逃げ穴１４５を貫通して、中筒１４０の直溝１４６に係合する。
【００２０】
また、固定筒１１０の後側寄りの外周には、ピントリング１２０が回転自在に配される。ピントリング１２０の内周側には、モータ室１１５をなす空洞が形成される。モータ室１１５には、図示していないモータが収容される。
【００２１】
モータ室１１５の内部には、伝達部材１２２の一端が配される。伝達部材１２２の前端部１２４は、連動環１７０の直溝１７６内に配置されている。伝達部材１２２は、ピントリング１２０またはモータのいずれかから選択的に駆動されて、固定筒１１０の外周に沿って連動環１７０を回転させる。なお、図３では、モータ室１１５を形成する外周部の図示は省いた。
【００２２】
次に、カム筒１６０の更に内周側には、光軸Ｘと平行に配された一対のガイドバー１９２、１９４が配される。以下の説明では、特に言及しない限り、光軸Ｘよりガイドバー１９２側を「上側」とし、光軸Ｘよりガイドバー１９４側を「下側」とする。
【００２３】
ガイドバー１９２、１９４は、固定筒１１０の内周後端に配された環状の支持部１１８に一端を支持され、互いに光軸Ｘに対して対称に配される。レンズ枠７０、８０、９０は、ガイドバー１９２、１９４によって移動自在に支持される。
【００２４】
レンズ枠７０、９０は、光軸Ｘ方向に延在する連動筒９１により相互に結合される。連動筒９１は、レンズＬ５を保持するレンズ枠９０を後端に、レンズＬ３を保持するレンズ枠７０を前端に有する。
【００２５】
レンズ枠７０は、レンズＬ３の外縁を保持するとともにレンズＬ３の径方向に延在するフランジ部７２を有する。これにより、レンズ枠７０は、外径が連動筒９１の外径と略等しくなり、連動筒９１の前端に結合できる。
【００２６】
また、連動筒９１の内周には、レンズＬ４を保持するレンズ枠８０が、連動筒９１内で直進可能に配されている。ここで、図４は、連動筒９１の内周側にレンズ枠８０を配置する工程を説明する図である。また、図５は、レンズ枠８０が連動筒９１の内周側に配置された状態を示す図であり、図１のＡ―Ａ断面図である。
【００２７】
レンズ枠８０は、ガイドバー１９２に嵌合する一対の嵌合部８２と、ガイドバー１９４に係合する係合部８４とを外周面に有する。一対の嵌合部８２のそれぞれは、ガイドバー１９２を挿通することができる丸穴状の嵌合穴８３を有する。
【００２８】
嵌合穴８３は、ガイドバー１９２の外径と略等しい内径を有し、一対の嵌合部８２はガイドバー１９２によって直進移動可能に保持される。レンズ枠８０は、一対の嵌合部８２がガイドバー１９２の延在方向に間隔をおいて配されるので、ガイドバー１９２に対して傾くことを規制されつつ案内される。
【００２９】
係合部８４は、ガイドバー１９４を挟む一対の平行面を含むＵ字溝８５を有する。レンズ枠８０は、外周面に嵌合部８２と係合部８４とを備えるので、レンズ枠８０がガイドバー１９２を軸として回転することが規制される。
【００３０】
また、レンズ枠８０は、カム筒１６０のカム溝１６３に係合するカムフォロワ８６を、外周面であって嵌合部８２の近傍に有する。カムフォロワ８６は、レンズ枠８０を内部に含む連動筒９１をカム筒１６０の内側に配置してから取り付けられるものであり、カム筒１６０のカム溝１６３に係合しながらカム筒１６０を貫通してレンズ枠８０の外周面に装着される。
【００３１】
連動筒９１は、レンズ枠８０の嵌合部８２およびカムフォロワ８６を外部に突出させると共に、嵌合部８２およびカムフォロワ８６の相対的な直進を許す逃げ穴９７を上側周面に有する。また、連動筒９１は、連動筒９１の内周側までレンズ枠８０を挿入する場合に通過させる挿入穴９９を下側周面に有する。
【００３２】
連動筒９１は、ガイドバー１９２に嵌合する一対の嵌合部９２を外周面に有する。それぞれの嵌合部９２は、ガイドバー１９２を挿通することができる丸穴状の嵌合穴９３を有する。嵌合穴９３は、ガイドバー１９２の外径と略等しい内径を有し、一対の嵌合部９２はガイドバー１９２によって直進移動可能に保持される。連動筒９１は、一対の嵌合部９２がガイドバー１９２の延在方向に間隔をおいて配されるので、ガイドバー１９２に対して傾くことを規制されつつ案内される。
【００３３】
また、連動筒９１は、ガイドバー１９４に係合する係合部９４を外周面に有する。係合部９４は、ガイドバー１９４を挟む一対の平行面を含むＵ字溝９５を有する。連動筒９１は、外周面に嵌合部９２と係合部９４とを有するので、ガイドバー１９２を軸として回転することが規制される。
【００３４】
また、連動筒９１は、カム筒１６０のカム溝１６４に係合するカムフォロワ９６を外周面であって嵌合部９２の近傍に有する。カムフォロワ９６は、連動筒９１をカム筒１６０の内側に配置してから取り付けられるものであり、カム筒１６０のカム溝１６４に係合しながらカム筒１６０を貫通して連動筒９１の外周面に装着される。
【００３５】
一対の嵌合部９２は、連動筒９１の上側外周面で逃げ穴９７を光軸Ｘ方向に挟むように配置されている。逃げ穴９７からはレンズ枠８０の嵌合部８２が突出するので、レンズ枠８０の嵌合部８２と連動筒９１の嵌合部９２とは光軸Ｘ方向に並んで配置されることができ、一つのガイドバーが嵌合部８２、９２を貫通することができる。
【００３６】
また、係合部９４は、連動筒９１を光軸Ｘ方向から見たときに、挿入穴９９が形成されている領域と重なるように形成されている。挿入穴９９からはレンズ枠８０の係合部８４が突出するので、レンズ枠８０の係合部８４と連動筒９１の係合部９４とは光軸Ｘ方向に並んで配置されることができ、一つのガイドバーが係合部８４、９４に係合することができる。
【００３７】
これらの構造により、レンズ枠７０、９０とそれに保持されたレンズＬ３、Ｌ５は、ガイドバー１９２、１９４に沿って一体的に移動する。また、レンズ枠８０およびレンズＬ４は、連動筒９１の内周側において、連動筒９１とは個別に、ガイドバー１９２、１９４に沿って移動する。また、レンズ枠８０のカムフォロワ８６は、連動筒９１のカムフォロワ９６が係合するカム溝１６４とは異なるカム溝１６３に係合する。
【００３８】
カム溝１６３とカム溝１６４とをカム筒１６０に形成するために、レンズ枠８０のカムフォロワ８６と連動筒９１のカムフォロワ９６とは、光軸Ｘ方向から見たときに嵌合部８２、９２を間に配置することが好ましい。このため、逃げ穴９７は、連動筒９１のカムフォロワ９６と反対側に延在する。
【００３９】
ここで、レンズ枠８０は、連動筒９１の内径Ｄ９１よりも小さな外径Ｄ８０を有する。また、連動筒９１の挿入穴９９は、連動筒９１の内径Ｄ９１と略同じ幅を有する。これにより、レンズ枠８０は、挿入穴９９を通じて、連動筒９１の内側に挿入することができる。
【００４０】
レンズＬ３、Ｌ４、Ｌ５の組立体１０に係る構成（図３参照）を組み立てる場合は、例えば、以下のような手順を含むことができる。まず、連動筒９１後端にレンズＬ５を保持したレンズ枠９０を装着する。次に、レンズＬ３を保持したレンズ枠７０のフランジ部７２を、連動筒９１の前端に取り付ける。連動筒９１は、まだ他の部材に取り付けられていないので、レンズＬ３とレンズＬ５との位置関係を容易に調整して、これらの光軸を正確に一致せることができる。
【００４１】
次いで、連動筒９１側面の挿入穴９９を通して、レンズＬ４を保持したレンズ枠８０を、連動筒９１の内周側まで挿入する。このような手順により、連動筒９１の両端に保持されたレンズＬ３、Ｌ５の位置関係を十分に調整した上で、それらの間にレンズＬ４を容易に組み付けることができる。このような良好な作業性は、レンズ鏡筒１００を保守、整備する場合にも有効になる。
【００４２】
レンズ枠８０が連動筒９１に挿入された場合、レンズ枠８０の嵌合部８２が、連動筒９１の嵌合部９２（図５では嵌合部８２の後ろに隠れている）と同じ位置に配され、ガイドバー１９２を共通に挿通される。同様に、レンズ枠８０の係合部８４は、連動筒９１の係合部９４（図５では係合部８４の後ろに隠れている）と同じ位置に配され、ガイドバー１９４に共通に係合する。
【００４３】
こうして完成した組立体１０に、後側の支持部１１８と一体となっているガイドバー１９２、１９４（図３参照）のうち、ガイドバー１９２を嵌合部９２、８２に貫通させるとともに、ガイドバー１９４を係合部９４、８４に係合させることにより、一対のガイドバー１９２、１９４と組立体１０とを一体的に取り扱うことができる。
【００４４】
更に、連動筒９１の外側に、カム筒１６０が装着される。装着されたカム筒１６０のカム溝１６３、１６４を貫通するように、カムフォロワ８６、９６が、レンズ枠８０または連動筒９１に取り付けられる。なお、カムフォロワ８６、９６の装着位置は、嵌合部８２、９２に対するガイドバー１９２の挿通を妨げない範囲で、レンズ枠８０または連動筒９１の周方向について、嵌合部８２、９２により近い位置に配されることが好ましい。これにより、カム筒１６０のレンズ枠８０または連動筒９１に対する駆動効率を向上させることができる。
【００４５】
次に、一体となっている組立体１０とガイドバー１９２、１９４、後側の支持部１１８を固定筒１１０に後方より挿入し、ガイドバー１９２、１９４の前端部を前側の支持部１１８に嵌合させると共に、後側の支持部１１８を固定筒１１０に固定する。
【００４６】
次に、レンズ鏡筒１００の変倍動作について説明する。
【００４７】
レンズ鏡筒１００において、ズームリング１３０が光軸Ｘの回りに回転する回転操作を受けた場合、案内溝１３２に係合するカムフォロワ１４２を通じて回転駆動力が伝えられた中筒１４０が回転する。中筒１４０が回転した場合、外筒１５０は、カム溝１４４からカムフォロワ１５２に伝えられた駆動力により、直溝１４３に沿って直進する。これにより、外筒１５０の先端に結合されたレンズ枠１５９と、レンズ枠１５９に保持されたレンズＬ１とが一体的に移動する。
【００４８】
また、中筒１４０が回転した場合、直溝１４６に係合するカムフォロワ１６２を通じてカム筒１６０にも回転駆動力が伝えられ、カム筒１６０は回転する。カム筒１６０が回転すると、カム筒１６０のカム溝１６６に係合する固定筒１１0のカムピン１１６から、カム筒１６０は固定筒１１０に対する相対駆動力を与えられる。固定筒１１０は撮像部２００に対して固定されているので、カム筒１６０はカム溝１６６の形状に応じて回転しながら直進する。
【００４９】
更に、カム筒１６０が直進した場合、固定筒１１０の長穴１１４に沿ってカムフォロワ１４７も直進する。よって、カムフォロワ１４７に従って内筒１４１も直進する。内筒１４１が直進すると、内筒１４１の係合突起１４９に係合している係合溝１４８により中筒１４０も直進する。
【００５０】
また更に、連動環１７０の直溝１７６には伝達部材１２２の前端部１２４が入り込んでいるので、連動環１７０の回転は規制されている。従って、カム筒１６０が回転および直進した場合、カム溝１６１に係合したカムフォロワ１７２によりカム筒１６０に連結された連動環１７０は直進する。これより、レンズ枠１８９に保持されたレンズＬ２も直進する。
【００５１】
なお、本実施例においては、連動環１７０にカムフォロワ１７２を、カム筒１６０にカム溝１６１をそれぞれ設けた。しかしながら、例えば、連動環１７０にカム溝１６１を、カム筒１６０にカムフォロワ１７２をそれぞれ設けても、同様の機能が得られる。このことは、他の溝部と突起部との係合においても同様である。
【００５２】
更に、移動するカム筒１６０の他のカム溝１６３、１６４は、連動筒９１のカムフォロワ９６およびレンズ枠８０のカムフォロワ８６も駆動する。連動筒９１およびレンズ枠８０は、ガイドバー１９２、１９４に嵌合および係合して回転が規制されているので、カム筒１６０により駆動された場合は、直進する。
【００５３】
なお、外筒１５０およびズームリング１３０の間には、固定筒１１０に対して同軸に装着されたカバー筒１５５が配される。カバー筒１５５は、外筒１５０に連れ従って進退して、外筒１５０およびズームリング１３０の間を封止する。これにより、レンズ鏡筒１００の内部に塵芥が浸入することが防止される。
【００５４】
このように、ズームリング１３０を回転させた場合は、全てのレンズＬ１、Ｌ２、Ｌ３、Ｌ４、Ｌ５が光軸Ｘ方向に移動する。また、連動筒９１およびレンズ枠１５９、１８９、８０は、それぞれ個別の駆動機構により駆動されるので、個別の移動量を有する。これにより、レンズ鏡筒１００の焦点距離を変化させることができる。
【００５５】
次に、レンズ鏡筒１００の合焦動作について説明する。
レンズ鏡筒１００において、ピントリング１２０を回転させた場合、または、モータ室１１５のモータが動作した場合、伝達部材１２２は、固定筒１１０の外周に沿って回転する。この回転駆動力は、伝達部材１２２の前端部１２４から、連動環１７０の直溝１７６に伝達され、連動環１７０を回転させる。
【００５６】
これにより、連動環１７０のカムフォロワ１７２は、カム溝１６１に沿って、他のレンズＬ１、Ｌ３、Ｌ４、Ｌ５に対して個別に回転しながら直進する。本実施形態では、レンズＬ２を直進させることにより、レンズ鏡筒１００の焦点位置を移動させることができる。よって、レンズＬ１、Ｌ３、Ｌ４、Ｌ５は光軸Ｘ方向の位置を固定としてままレンズＬ２を直進させることにより、レンズＬ１、Ｌ２、Ｌ３、Ｌ４、Ｌ５を含む光学系を通過した光束を、イメージセンサ等の受光面に合焦させることができる。
【００５７】
図６は、レンズ鏡筒１００を備えた撮像装置３００の構造を模式的に示す図である。なお、図面の記載が煩雑になることを避ける目的で、図６においてはレンズ鏡筒１００を模式的に記載した。しかしながら、図６におけるレンズ鏡筒１００は、図１から図５までに示したレンズ鏡筒１００と同じ構造を有する。そこで、共通の構成要素には同じ参照番号を付して重複する説明を省いた。
【００５８】
撮像装置３００は、レンズ鏡筒１００および撮像部２００を含む。レンズ鏡筒１００は、撮像部２００のマウント部２６０に着脱自在に装着される。
【００５９】
撮像装置３００に装着されたレンズ鏡筒１００は、図示していない接続端子を介して、撮像部２００に対して電気的にも結合される。これにより、レンズ鏡筒１００は、撮像部２００から電力を供給される。また、レンズ鏡筒１００側らか撮像部２００側に信号も送信される。
【００６０】
撮像部２００は、主鏡２４０、ペンタプリズム２７０、接眼光学系２９０を含む光学系と、主制御部２５０とを収容する。主鏡２４０は、レンズ鏡筒１００の光学系を介して入射した入射光の光路上に傾斜して配置される待機位置と、入射光を避けて上昇する撮影位置（図中に点線で示す）との間を移動する。
【００６１】
待機位置にある主鏡２４０は、入射光の大半を、上方に配置されたフォーカシングスクリーン２７２に導く。フォーカシングスクリーン２７２は、レンズ鏡筒１００の光学系が合焦した場合に像を結ぶ位置に配置され、当該像を可視化する。
【００６２】
フォーカシングスクリーン２７２に結像された画像は、ペンタプリズム２７０を介して接眼光学系２９０から観察される。これにより、接眼光学系２９０からは、フォーカシングスクリーン２７２上の映像を正像として見ることができる。
【００６３】
ペンタプリズム２７０および接眼光学系２９０の間にはハーフミラー２９２が配置される。ハーフミラー２９２は、ファインダＬＣＤ２９４に形成された表示画像を、フォーカシングスクリーン２７２の映像に重畳させる。これにより、接眼光学系２９０の出射端において、フォーカシングスクリーン２７２の映像と、ファインダＬＣＤ２９４の映像とを併せて見ることができる。なお、ファインダＬＣＤ２９４には、撮像装置３００の撮影条件、設定条件等の情報が表示される。
【００６４】
また、ペンタプリズム２７０の出射光の一部は、測光部２８０に導かれる。測光部２８０は、入射光の強度およびその分布等を測定して、撮影条件を決定する場合に測定結果を参照させる。
【００６５】
一方、入射光の入射面に対する主鏡２４０の裏面には、副鏡２４２が配置される。副鏡２４２は、主鏡２４０を透過した入射光の一部を、下方に配置された焦点検出装置２３０に導く。これにより、主鏡２４０が待機位置にある場合は、焦点検出装置２３０が光学系の焦点調整状態を検出する。なお、主鏡２４０が撮影位置に移動した場合は、副鏡２４２も入射光の光路から退避する。
【００６６】
レンズ鏡筒１００からの入射光に対して主鏡２４０の後方には、シャッタ２２０、光学フィルタ２１２および撮像素子２１０が光軸に沿って配置される。シャッタ２２０が開放される場合は、その直前に主鏡２４０が撮影位置に移動するので、入射光は直進して撮像素子２１０に入射される。これにより、入射光の形成する画像が、撮像素子２１０において電気信号に変換される。
【００６７】
また、撮像部２００は、レンズ鏡筒１００に対して背面において、外部に面したメインＬＣＤ２９６を備える。メインＬＣＤ２９６は、撮像部２００に対する各種の設定情報を表示する他、主鏡２４０が撮影位置に移動している場合に撮像素子２１０に形成された画像を表示することもできる。
【００６８】
主制御部２５０は、上記のような種々の動作を総合的に制御する。また、撮像部２００側の焦点検出装置２３０が検出した被写体までの距離の情報を参照して、レンズ鏡筒１００を駆動するオートフォーカス機構を形成できる。更に、焦点検出装置２３０がレンズ鏡筒１００の動作量を参照して、フォーカスエイド機構を形成することもできる。
【００６９】
更に、主制御部２５０は、レンズ鏡筒１００のマイクロプロセッサと情報を交換して、絞り装置２２２の開閉等も制御する。更に、主制御部２５０は、露出の自動化、シーンモードの実行、ブラケット撮影の実行等にも寄与する。
【００７０】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【００７１】
特許請求の範囲、明細書、および図面中において示した装置、システム、プログラム、および方法における動作、手順、ステップ、および段階等の各処理の実行順序は、特段「より前に」、「先立って」等と明示していない限り、また、前の処理の出力を後の処理で用いない限り、任意の順序で実現し得ることに留意されたい。特許請求の範囲、明細書、および図面の動作フローに関して、便宜上「まず、」、「次に、」等を用いて説明したとしても、この順で実施することが必須であることを意味するものではない。
【図面の簡単な説明】
【００７２】
【図１】レンズ鏡筒１００の広角端状態の縦断面図である。
【図２】レンズ鏡筒１００の望遠端状態の縦断面図である。
【図３】レンズ鏡筒１００一部の分解斜視図である。
【図４】連動筒９１に対するレンズ枠８０の組み付け方法を示す図である。
【図５】組立体１０の構造を示す断面図である。
【図６】撮像装置３００の構造を模式的に示す図である。
【符号の説明】
【００７３】
１０  組立体、７０、８０、９０、１５９、１８９  レンズ枠、７２  フランジ部、８２、９２  嵌合部、８３、９３  嵌合穴、８４、９４  係合部、８５、９５  Ｕ字溝、８６、９６、１４２、１４７、１５２、１６２、１７２  カムフォロワ、９１  連動筒、９７、１４５  逃げ穴、９９  挿入穴、１００  レンズ鏡筒、１１０  固定筒、１１１  基部、１１２  マウント、１１３  マウント面、１１４  長穴、１１５  モータ室、１１６  カムピン、１１８  支持部、１２０  ピントリング、１２２  伝達部材、１２４  前端部、１３０  ズームリング、１３２  案内溝、１４０  中筒、１４１  内筒、１４３、１４６、１７６  直溝、１４４、１６１、１６３、１６４、１６６  カム溝、１４８  係合溝、１４９  係合突起、１５０  外筒、１５５  カバー筒、１６０  カム筒、１６５  連結部材、１７０  連動環、１９２、１９４  ガイドバー、２００  撮像部、２１０  撮像素子、２１２  光学フィルタ、２２０  シャッタ、２２２  絞り装置、２３０  焦点検出装置、２４０  主鏡、２４２  副鏡、２５０  主制御部、２６０  マウント部、２７０  ペンタプリズム、２７２  フォーカシングスクリーン、２８０  測光部、２９０  接眼光学系、２９２  ハーフミラー、２９４  ファインダＬＣＤ、２９６  メインＬＣＤ、３００  撮像装置
【図１】
2010191104.tif 000003
【図２】
2010191104.tif 000004
【図３】
2010191104.tif 000005
【図４】
2010191104.tif 000006
【図５】
2010191104.tif 000007
【図６】
2010191104.tif 000008